(57)【要約】【課題】  前方から操作される薄型の記録装置において、更なる薄型化と信頼性の向上とを図る。【解決手段】  プリンタ１は、略直方体形状のケーシング１０と、ケーシング１０に対して前方から抜き差しされる給紙カセット２００と、記録後の記録紙を支持する排紙トレイ３００とを備えている。排紙トレイ３００は、給紙カセット２００の下方に配置されている。排紙トレイ３００は、ケーシング１０の前方に突出する状態と、ケーシング１０の内部に収納される状態との間で、前後方向にスライド自在に構成されている。排紙トレイ３００には、前方に引き出されたときに前上がりに傾斜する傾斜板３０１が設けられている。【選択図】  図６
2005205648.tif 000002
【特許請求の範囲】
【請求項１】
上下方向長さが左右方向長さ及び前後方向長さよりも短い略直方体形状のケーシングと、
前記ケーシング内に配置され、記録媒体に記録を行うインクジェット式の記録ヘッドと、
前記ケーシングに前方から抜き差しされ、記録媒体を蓄える供給カセットと、
前記供給カセットよりも下側に配置され、前記ケーシングの前方に突出する突出状態と前記ケーシング内に収納される収納状態との間で前後に伸縮又は移動自在に形成され、記録後の記録媒体を支持する支持部材と、
前記記録ヘッドによって記録された後の記録媒体を前記支持部材に搬送する排出機構とを備え、
前記支持部材には、上方に突出し、前記支持部材に支持される記録媒体の前側部分を持ち上げる突出部材が設けられている記録装置。
【請求項２】
前記突出部材は、前記支持部材に設けられた平板部材と、前記支持部材が前記ケーシングの前方に突出すると少なくとも前記平板部材の前側を上方に持ち上げるばね部材と、を備えている請求項１に記載の記録装置。
【請求項３】
上下方向長さが左右方向長さ及び前後方向長さよりも短い略直方体形状のケーシングと、
前記ケーシング内に配置され、記録媒体に記録を行う記録ヘッドと、
前記記録ヘッドの下方に対向配置されたプラテンと、
前記プラテンの下方に配置され且つ前記ケーシングに前方から抜き差しされ、記録媒体を蓄える供給カセットと、
前記プラテンよりも下方且つ前記供給カセットよりも上方に配置され、前記ケーシングの前方に突出する突出状態と前記ケーシング内に収納される収納状態との間で前後に伸縮又は移動自在に形成され、記録後の記録媒体を支持する支持部材と、
を備えた記録装置。
【請求項４】
前記供給カセットよりも上側に配置され、前記供給カセット内から記録媒体を取り出すピックアップユニットを備え、
前記支持部材には、前記支持部材が収納状態にあるときに前記ピックアップユニットの一部又は全部を収容する収容空間が形成されている請求項３に記載の記録装置。
【請求項５】
前記支持部材は、収納状態のときに前記ピックアップユニットの一部又は全部を挿入させる切り欠きが形成された平板状のトレイからなっている請求項４に記載の記録装置。
【請求項６】
前記支持部材は、棒状体からなっている請求項４に記載の記録装置。
【請求項７】
前記支持部材は、前後にスライド自在に組み立てられた複数のトレイ部材を備え、前記ケーシングに対して前後に伸縮自在な排出トレイによって構成されている請求項３に記載の記録装置。
【発明の詳細な説明】
【技術分野】
【０００１】
本発明は、記録装置に関するものである。
【背景技術】
【０００２】
従来より、記録装置は、例えばパーソナルコンピュータ用のプリンタ等として用いられている。ところが、従来の記録装置の多くは、設置場所として十分な広さの空間を必要とするものであった。そのため、従来の記録装置には、パソコンラック等のように、設置面の上方に十分なスペースが確保されている場所にしか設置できないものが多かった。しかし、今後は、プリンタの利用対象はパーソナルコンピュータ等に限らず、例えばテレビやビデオなど、幅広い範囲に拡大していくと考えられている。
【０００３】
そこで、テレビ用ラックやオーディオラック等のように、上方に十分なスペースのない場所にも設置可能なように、薄型のプリンタが提案されている（例えば、特許文献１及び２参照）。この種のプリンタは、オーディオ機器などに対応した形状及び寸法からなる薄型のケーシングを備え、操作ボタン、表示ランプ、給紙カセット、及び排紙トレイ等は、ユーザがケーシングの前方から操作ができるように前側に配置されている。
【特許文献１】特開２００１−２１３０１９号公報
【特許文献２】特開２００１−２１９６２０号公報
【発明の開示】
【発明が解決しようとする課題】
【０００４】
しかしながら、前方から操作される薄型の記録装置にあっては、内部の要素部品同士が接触しやすい等、薄型化に伴って生じる課題があった。そのため、装置の信頼性を維持しつつ更なる薄型化を図ることは困難であった。
【０００５】
例えば、従来の記録装置では、薄型化の促進のために排紙トレイを給紙カセットの下側に配置しようとすると、印刷後の記録紙はプラテンよりも下方に搬送されることになるので、記録紙の後端部が跳ね上がって記録ヘッドに接触するおそれがある。ところが、記録ヘッドがインクジェット式の記録ヘッドである場合には、記録紙との接触により、ヘッドの破損を招くおそれがある。そのため、ケーシング内に上下方向の十分なスペースがないと、排紙トレイを給紙カセットの下側に配置することは困難であった。
【０００６】
また、薄型の記録装置では、排紙トレイの収納スペースも限られていた。そのため、排紙トレイの収納箇所又は排紙トレイの形態自体に何らかの工夫を施さないと、装置の更なる薄型化を図ることは困難であった。
【０００７】
本発明は、かかる点に鑑みてなされたものであり、その目的とするところは、前方から操作される薄型の記録装置において、装置の信頼性を維持しつつ更なる薄型化を図ることにある。
【課題を解決するための手段】
【０００８】
本発明に係る記録装置は、上下方向長さが左右方向長さ及び前後方向長さよりも短い略直方体形状のケーシングと、前記ケーシング内に配置され、記録媒体に記録を行うインクジェット式の記録ヘッドと、前記ケーシングに前方から抜き差しされ、記録媒体を蓄える供給カセットと、前記供給カセットよりも下側に配置され、前記ケーシングの前方に突出する突出状態と前記ケーシング内に収納される収納状態との間で前後に伸縮又は移動自在に形成され、記録後の記録媒体を支持する支持部材と、前記記録ヘッドによって記録された後の記録媒体を前記支持部材に搬送する排出機構とを備え、前記支持部材には、上方に突出し、前記支持部材に支持される記録媒体の前側部分を持ち上げる突出部材が設けられているものである。
【０００９】
上記記録装置によれば、インクジェット式記録ヘッドによって記録が行われた後の記録媒体は、排出機構によって支持部材に搬送され、支持部材に支持される。この際、記録媒体の前側部分は突出部材によって持ち上げられる。その結果、記録媒体の後端部は、記録媒体自身の復元力によって下向きの力を受ける。そのため、記録媒体の後端部が跳ね上がることは防止され、記録媒体の後端部とインクジェット式記録ヘッドとが接触することは回避される。したがって、記録ヘッドの損傷は未然に防止され、装置の信頼性は向上する。
【００１０】
前記突出部材は、前記支持部材に設けられた平板部材と、前記支持部材が前記ケーシングの前方に突出すると少なくとも前記平板部材の前側を上方に持ち上げるばね部材と、を備えていてもよい。
【００１１】
このことにより、支持部材を前方に引き出すと、ばね部材によって、少なくとも平板部材の前側は自動的に上方に持ち上げられる。したがって、簡便な構成により、記録媒体の後端部の跳ね上がりを防止することができる。
【００１２】
本発明に係る他の記録装置は、上下方向長さが左右方向長さ及び前後方向長さよりも短い略直方体形状のケーシングと、前記ケーシング内に配置され、記録媒体に記録を行う記録ヘッドと、前記記録ヘッドの下方に対向配置されたプラテンと、前記プラテンの下方に配置され且つ前記ケーシングに前方から抜き差しされ、記録媒体を蓄える供給カセットと、前記プラテンよりも下方且つ前記供給カセットよりも上方に配置され、前記ケーシングの前方に突出する突出状態と前記ケーシング内に収納される収納状態との間で前後に伸縮又は移動自在に形成され、記録後の記録媒体を支持する支持部材と、を備えたものである。
【００１３】
上記記録装置では、記録後の記録媒体を支持する支持部材は、プラテンと供給カセットとの間に配置されている。したがって、プラテンと供給カセットとの間の余剰スペースが支持部材の収納スペースとして有効活用され、装置の薄型化が図られる。
【００１４】
前記記録装置は、前記供給カセットよりも上側に配置され、前記供給カセット内から記録媒体を取り出すピックアップユニットを備え、前記支持部材には、前記支持部材が収納状態にあるときに前記ピックアップユニットの一部又は全部を収容する収容空間が形成されていることが好ましい。
【００１５】
上記記録装置では、支持部材が収納状態にあるときには、ピックアップユニットの一部又は全部は、支持部材の収容空間に収容される。そのため、支持部材とピックアップユニットとが干渉することはない。したがって、装置の更なる薄型化が図られる。また、支持部材とピックアップユニットとが干渉するおそれがないので、支持部材の前後方向のストロークを大きくすることができる。したがって、装置が薄型化しても、支持部材の支持面積を大きく確保することができ、大きなサイズの記録媒体を利用することが可能となる。
【００１６】
前記支持部材は、収納状態のときに前記ピックアップユニットの一部又は全部を挿入させる切り欠きが形成された平板状のトレイからなっていてもよい。
【００１７】
このことにより、トレイが収納状態になったときには、ピックアップユニットの一部又は全部は、切り欠きの内側に挿入される。その結果、トレイとピックアップユニットとの干渉は回避される。
【００１８】
前記支持部材は、棒状体からなっていてもよい。
【００１９】
前記支持部材は、前後にスライド自在に組み立てられた複数のトレイ部材を備え、前記ケーシングに対して前後に伸縮自在な排出トレイによって構成されていてもよい。
【００２０】
上記記録装置では、排出トレイは、互いにスライド移動自在に組み立てられた複数のトレイ部材からなっている。そのため、排出トレイの収納状態における前後方向長さは短い。したがって、収納状態における排出トレイとケーシング内の他の要素部品（例えば、ピックアップユニット等）との干渉は防止される。また、排出トレイは、プラテンと供給カセットとの間の余剰スペースに配置されている。したがって、余剰スペースの有効活用を図ることができ、装置の薄型化が促進される。
【発明の効果】
【００２１】
本発明によれば、排出された記録媒体を支持する支持部材に、記録媒体の前側部分を持ち上げる突出部材を設けることとしたので、排出後の記録媒体の後端部が跳ね上がることを防止することができる。そのため、インクジェット式の記録ヘッドが記録媒体の後端部と接触することを未然に回避し、記録ヘッドの損傷を防止することができる。したがって、装置の薄型化と信頼性の向上との両立を図ることができる。
【００２２】
また、本発明によれば、支持部材が収納状態にあるときには、ピックアップユニットの一部又は全部が支持部材の収容空間に収容されるので、支持部材とピックアップユニットとが接触することを回避することができる。したがって、支持部材とピックアップユニットとの干渉が防止され、装置の薄型化と信頼性の向上との両立を図ることができる。
【００２３】
また、本発明によれば、互いにスライド自在に組み立てられた複数のトレイ部材によって排出トレイを構成し、この排出トレイをプラテンと供給カセットとの間の余剰スペースに配置することとしたので、収納状態における排出トレイと他の要素部品との干渉を防止することができ、また、ケーシング内のスペースの有効活用を図ることができる。したがって、装置の信頼性を確保しつつ更なる薄型化を図ることができる。
【発明を実施するための最良の形態】
【００２４】
以下、本発明の実施形態を図面に基づいて詳細に説明する。
【００２５】
＜実施形態１＞
図１及び図２に示すように、実施形態に係る記録装置は、テレビ用ラック５（図２参照）等にも収納容易な薄型のプリンタ１である。本プリンタ１は、テレビ用ラック５に収納された状態のまま、ユーザによる前方からの操作によって容易に扱われる記録装置である。
【００２６】
ケーシング１０はいわゆる薄型のケーシングであり、上下方向長さが左右方向長さ及び前後方向長さのいずれよりも短い略直方体形状に形成されている。ここでは、上下方向長さは、左右方向長さの１／４以下、前後方向長さの１／３以下となっている。
【００２７】
ケーシング１０の前側には、開閉自在な前面パネル３１が設けられている。また、ケーシング１０の前板１５には、給紙カセット２００及び排紙トレイ３００を挿通させる開口が形成されている。給紙カセット２００は、上記開口を通じてケーシング１０に抜き差し自在に挿入されている。また、排紙トレイ３００は、上記開口を通じて前方に突出するように形成されている。ケーシング１０の前板１５の右下部分には、給紙カセット２００を前方に排出するためのカセット取り出しボタン５４が設けられている。
【００２８】
図３に示すように、ケーシング１０の内部には、記録機構１００と、給紙カセット２００と、給紙カセット２００の下方に配置された排紙トレイ３００（図３では図示せず）と、パージユニット４００と、電源基板５００と、制御基板６００とが設けられている。
【００２９】
記録機構１００は、インクジェット式の記録ヘッド１０１（図４参照）と、インクタンク１０４と、記録ヘッド１０１及びインクタンク１０４を搭載するキャリッジ１０２と、記録ヘッド１０１に対向して配置されたプラテン１０３とを備えている。
【００３０】
ケーシング１０の内部の左右両側には、前後方向に延びるサイドフレーム２１が設けられている（右側のサイドフレームは図示省略）。サイドフレーム２１のやや前側には、左右方向に延びるキャリッジ軸２３が固定されている。キャリッジ１０２は、図示しない駆動機構によってキャリッジ軸２３に沿って左右に往復移動する。プラテン１０３の中央部分には窪みが形成され、この窪みの中にはスポンジ１０６が設けられている。
【００３１】
電源基板５００は、電源回路が形成されたプリント基板である。制御基板６００は、プリンタ１の制御回路が設けられたプリント基板である。
【００３２】
図４に示すように、プラテン１０３の後方には、給紙カセット２００内に収容されている記録紙を取り出すピックアップローラ１１５が配置されている。ピックアップローラ１１５の下方には、分離パッド１１６が設けられている。なお、ピックアップローラ１１５及び分離パッド１１６は、ピックアップユニット１１８を構成している。プラテン１０３と分離パッド１１６との間には、記録紙を記録ヘッド１０１とプラテン１０３との間に搬送する搬送ローラ１１３が設けられている。搬送ローラ１１３の上方には、搬送ローラ１１３との間に記録紙を挟み込むためのピンチローラ１１４が配置されている。プラテン１０３の前方には、記録後の記録紙を前方に向かって排出する排紙ローラ１１１が設けられている。排紙ローラ１１１の上方には、排紙ローラ１１１との間に記録紙を挟み込むためのピンチローラ１１２が配置されている。
【００３３】
排紙トレイ３００は、略平板状に形成されている。給紙カセット２００の下方には、シャーシ１１が配置されている。給紙カセット２００とシャーシ１１との間には、前後方向に細長い余剰スペースが形成されている。そして、排紙トレイ３００は、当該余剰スペースに収納されている。すなわち、排紙トレイ３００は、給紙カセット２００とシャーシ１１との間に配置されている。排紙トレイ３００は、ケーシング１０に対して、前後方向にスライド移動自在に組み立てられている。排紙トレイ３００は、プリンタ１が使用されないときにはケーシング１０の内部に収納され（図１参照）、プリンタ１の使用時には前方に引き出され、ケーシング１０から前方に突出した状態となる（図５及び図６参照）。そして、記録後の記録紙はケーシング１０の前方に排出され、前方に突出した状態の排紙トレイ３００に支持される。
【００３４】
図５及び図６に示すように、排紙トレイ３００の前側部分には、前上がりに傾斜する傾斜板３０１が設けられている。傾斜板３０１の前方には、ユーザの指を挿入するための穴３０２が形成されている。そのため、ユーザは、穴３０２に指を挿入し、傾斜板３０１の前側を持ち上げることによって、水平状態にある傾斜板３０１を前上がりの状態に容易に傾斜させることができる。なお、穴３０２は、ユーザが排紙トレイ３００を前方に引き出す際にも利用される。
【００３５】
プリンタ１の使用時には、ユーザは排紙トレイ３００を前方に引き出し、傾斜板３０１を前上がりに傾斜させる。図７に示すように、記録後の記録紙５０は、排紙ローラ１１１によって前方に排出される。前方に排出された記録紙５０は、排紙トレイ３００に支持される。この際、排紙トレイ３００の前側の傾斜板３０１は前上がりに傾斜しているので、記録紙５０の前側部分は上向きの力Ａを受け、前上がりに傾斜した状態となる。その結果、記録紙５０自身の復元力によって、記録紙５０の後側部分は下向きの力Ｂを受けることになる。
【００３６】
記録紙５０の後端部が搬送ローラ１１３よりも前方に移動すると、記録紙５０の後端部は排紙ローラ１１１とピンチローラ１１２との間に挟まれただけの状態となり、いわゆる片持ち支持された状態となる。しかし、本プリンタ１によれば、記録紙５０の後端部は、プラテン１０３に向かって押しつけられるので、プラテン１０３の上方に跳ね上がることはない。したがって、記録紙５０の後端部と記録ヘッド１０１とが接触するおそれはなく、記録ヘッド１０１の損傷は防止される。
【００３７】
以上のように、プリンタ１によれば、記録紙５０の後端部と記録ヘッド１０１との接触を効果的に防止することができるので、排紙トレイ３００をプラテン１０３よりも低い位置に配置することができる。また、排紙トレイ３００を給紙カセット２００よりも下側に配置することが可能となる。したがって、排紙トレイ３００の設置自由度が拡大し、排紙トレイ３００を給紙カセット２００の下方の余剰スペースに収納することによって、プリンタ１の薄型化を促進することができる。逆に言うと、プリンタ１を薄型化しても、記録ヘッド１０１の故障は起こりにくい。したがって、プリンタ１の薄型化と信頼性の向上との両立を図ることができる。
【００３８】
上記実施形態では、排紙トレイ３００の傾斜板３０１は、ユーザが手動で持ち上げるように構成されていた。しかし、傾斜板３０１は、排紙トレイ３００が前方に引き出されると自動的に傾斜するように構成されていてもよい。
【００３９】
例えば、図８に示すように、排紙トレイ３００に、傾斜板３０１を傾斜させる方向に付勢するコイルばね３０３を設けてもよい。この変形例では、排紙トレイ３００をケーシング１０に向かって後方に押し込むと、傾斜板３０１はケーシング１０内に収納されることによって、コイルばね３０３の付勢力に抗して水平状態となる。一方、排紙トレイ３００を前方に引っ張ると、傾斜板３０１はコイルばね３０３の付勢力によって前上がりに傾斜する。
【００４０】
このように、排紙トレイ３００の引き出し動作に連動して傾斜板３０１が自動的に傾斜するようにすることにより、プリンタ１の利便性を向上させることができる。
【００４１】
上記実施形態では、排紙トレイ３００は、給紙カセット２００とシャーシ１１との間に配置されていた（図４参照）。しかし、本プリンタ１によれば、排紙トレイ３００を更に下側に配置したとしても、記録ヘッド１０１と記録紙５０との接触を防止することができる。そこで、図９に示すように、排紙トレイ３００をシャーシ１１の下方に配置することも可能である。
【００４２】
上記実施形態では、排紙トレイ３００上において記録紙５０の前側部分を持ち上げる突出部材は、前後方向に回動することによって前上がりに傾斜する傾斜板３０１であった。しかし、突出部材は、傾斜板３０１に限定されるものではなく、他の様々な形態のものを利用することができる。
【００４３】
例えば、図１０及び図１１に示すように、突出部材として、左右方向に回動することによって起立する三角形状の傾斜板３０４を用いてもよい。排紙トレイ３００には、左右一対の傾斜板３０４が設けられている。図１１に示すように、傾斜板３０４は、起立したときに前上がりに傾斜する傾斜面３０５を有している。傾斜板３０４の側方には、指を挿入するための穴３０２が形成されている。
【００４４】
この突出部材の変形例にあっては、ユーザは排紙トレイ３００を引き出した後、両傾斜板３０４を左右に開き、起立させる。これにより、ケーシング１０から前方に排出される記録紙は、その前側部分が傾斜板３０４によって上方に持ち上げられる。したがって、このような突出部材によっても、記録紙の後端部が記録ヘッドと接触することを防止することができる。
【００４５】
＜実施形態２＞
図１２及び図１３に示す実施形態２に係るプリンタ１は、排紙トレイ３００がプラテン１０３と給紙カセット２００との間の余剰スペースに収納されているものである。
【００４６】
図１２に示すように、排紙トレイ３００は平板状に形成されている。排紙トレイ３００は、ケーシング１０に対して前後方向にスライド移動自在に取り付けられている。排紙トレイ３００の前側には、ユーザが排紙トレイ３００を前方に引き出す際に指を引っかけるための穴３２１が形成されている。図１３に示すように、排紙トレイ３００は、給紙カセット２００に対して平行な状態（ほぼ水平な状態）で、給紙カセット２００の上方且つプラテン１０３の下方に配置されている。
【００４７】
なお、排紙トレイ３００には、実施形態１の傾斜板３０１が設けられていることが好ましいが、傾斜板３０１を省略することも可能である。本実施形態では、傾斜板３０１は省略している。
【００４８】
本実施形態によれば、排紙トレイ３００をプラテン１０３と給紙カセット２００との間に収納することとしたので、排紙トレイ３００の収納スペースを小さく抑えることができる。したがって、プリンタ１の薄型化を促進することができる。
【００４９】
＜実施形態３＞
ところで、給紙カセットを備える記録装置では、通常、ケーシング内に給紙カセット内から記録紙を取り出すためのピックアップユニットが設けられている。しかし、薄型の記録装置では、ケーシング内に上下方向の十分なスペースがないため、排紙トレイの設置位置に誤差が生じると、排紙トレイとピックアップユニットとが接触するおそれがあった。
【００５０】
図１４及び図１５に示すように、実施形態３に係るプリンタ１は、排紙トレイ３００の一部に、ピックアップユニット１１８を逃がす切り欠き３２０を形成したものである。言い換えると、本実施形態に係るプリンタ１では、排紙トレイ３００の一部に切り欠き３２０が形成されていることにより、排紙トレイ３００には、収納状態のときにピックアップユニット１１８を収容する収容空間３２２が形成されている。
【００５１】
図１６に示すように、本実施形態においても、排紙トレイ３００は、プラテン１０３と給紙カセット２００との間の余剰スペースに配置されている。なお、排紙トレイ３００には、実施形態１の傾斜板３０１が設けられていることが好ましいが、傾斜板３０１を省略することも可能である。本実施形態においても、傾斜板３０１は省略している。
【００５２】
本実施形態によれば、排紙トレイ３００をケーシング１０内に収納すると、ピックアップユニット１１８は排紙トレイ３００の切り欠き３２０の内側に収容される。そのため、排紙トレイ３００をプラテン１０３と給紙カセット２００との間に配置しているにも拘わらず、排紙トレイ３００とピックアップユニット１１８（特に、分離パッド１１６）との接触は確実に防止される。
【００５３】
以上のように、本実施形態によれば、排紙トレイ３００等の設置位置に多少の誤差があったとしても、排紙トレイ３００とピックアップユニット１１８との干渉を回避することができる。したがって、装置の信頼性を高度に維持しつつ、排紙トレイ３００をプラテン１０３と給紙カセット２００との間に配置することが可能となる。排紙トレイ３００をプラテン１０３と給紙カセット２００との間の余剰スペースに収納することができるので、プリンタ１のより一層の薄型化を図ることができる。
【００５４】
＜実施形態４＞
図１７及び図１８に示すように、実施形態４に係るプリンタ１は、平板状の排紙トレイ３００に代えて、棒状体からなる排紙トレイ３５０を備えたものである。
【００５５】
図１８に示すように、排紙トレイ３５０は、蛇行しながら前後方向及び左右方向に延びる細長い棒状体からなっている。排紙トレイ３５０の左側部分に位置する棒状体３５０ａの前後方向長さは、記録紙の最大サイズに対応する長さに形成されている。一方、右側部分の棒状体３５０ｂは、前後方向長さが左側の棒状体３５０ａよりも短く形成されている。その結果、排紙トレイ３５０の右側部分には、ピックアップユニット１１８を収容する収容空間３２２が形成されている。これにより、排紙トレイ３５０がケーシング１０内に収納されたときに、排紙トレイ３５０とピックアップユニット１１８とが接触しないようになっている。なお、本実施形態においても、排紙トレイ３５０は、プラテン（図示せず）と給紙カセット２００との間に配置されている。
【００５６】
したがって、本実施形態に係るプリンタ１においても、実施形態３と同様に、排紙トレイ３５０とピックアップユニット１１８との接触を防止することができ、プリンタ１の信頼性を保ちつつ更なる薄型化を図ることができる。
【００５７】
＜実施形態５＞
図１９に示すように、実施形態５に係るプリンタ１は、排紙トレイ３６０を多段式に形成したものである。図２０に示すように、排紙トレイ３６０は、上下に重ねられた第１トレイ３６１と第２トレイ３６２と第３トレイ３６３とからなっている。第１トレイ３６１と第２トレイ３６２、並びに第２トレイ３６２と第３トレイ３６３は、互いに前後方向にスライド自在に結合されている。したがって、ユーザが第１トレイ３６１の穴３２１（図１９参照）に指を挿入して第１トレイ３６１を前方に引っ張ると、排紙トレイ３６０は、第１トレイ３６１、第２トレイ３６２、第３トレイ３６３の順に前方に展開する。一方、排紙トレイ３６０が前方に突出している状態でユーザが第１トレイ３６１を後方に押し込むと、これら第１〜第３トレイ３６１〜３６３は、後方に向かって順次収納されていく。
【００５８】
図２０に示すように、排紙トレイ３６０は、プラテン１０３と給紙カセット２００との間に配置されている。排紙トレイ３６０を構成する第１〜第３トレイ３６１〜３６３は収納状態において上下に重ねられるので、収納状態にある排紙トレイ３６０の前後方向長さは、短くなっている。ここでは、ケーシング１０の前端から排紙トレイ３６０の後端までの長さは、ケーシング１０の前端からピックアップユニット１１８までの長さよりも短い。したがって、排紙トレイ３６０とピックアップユニット１１８との接触は回避されている。
【００５９】
一方、第１〜第３トレイ３６１〜３６３が前方に展開すると、排紙トレイ３６０の全体は、記録紙の最大長さに対応した長さになる。したがって、収納状態における排紙トレイ３６０の長さは短いにも拘わらず、記録紙を支持するための面積（支持面積）を十分大きく確保することができる。
【００６０】
本実施形態に係るプリンタ１においても、実施形態３又は４と同様に、排紙トレイ３６０とピックアップユニット１１８との接触を防止することができ、プリンタ１の信頼性を維持しつつ、更なる薄型化を図ることができる。
【００６１】
上記実施形態では、排紙トレイ３６０を３つのトレイ３６１〜３６３で構成していた。しかし、排紙トレイ３６０を構成するトレイの数は、３つに限定されるものではない。トレイの数は２つであってもよいし、４つ以上であってもよい。
【００６２】
ただし、上下に重ね合わせるトレイの数が多くなると、排紙トレイ３６０とプラテン１０３とが接触するおそれがある。そこで、図２１に示すように、排紙トレイ３６０を構成する複数のトレイの一部又は全部を、プラテン１０３よりも前方に配置することが好ましい。本例では、排紙トレイ３６０は、プラテン１０３の下方に位置する３つのトレイ３６１〜３６３と、プラテン１０３よりも前方（より詳しくは、排紙ローラ１１１よりも前方）に位置する２つのトレイ３６４〜３６５とによって構成されている。
【００６３】
以上のように、この変形例によれば、排紙トレイ３６０の収納時の前後方向長さを短く抑えつつ、展開時の前後方向長さを更に長くすることが可能となる。したがって、排紙トレイ３６０の支持面積を拡大することができ、薄型のプリンタにおいて、サイズの大きな記録紙を利用することが可能となる。
【産業上の利用可能性】
【００６４】
以上説明したように、本発明は、プリンタ等の記録装置について有用である。
【図面の簡単な説明】
【００６５】
【図１】実施形態１に係るプリンタの斜視図である。
【図２】テレビ用ラックに収納した状態のプリンタの斜視図である。
【図３】プリンタの内部構造を示す斜視図である。
【図４】実施形態１に係るプリンタの部分拡大断面図である。
【図５】実施形態１に係るプリンタの斜視図である。
【図６】実施形態１に係るプリンタの斜視図である。
【図７】排紙トレイ上の記録紙の状態を説明する概念図である。
【図８】排紙トレイの変形例の断面図である。
【図９】変形例に係るプリンタの部分拡大断面図である。
【図１０】変形例に係るプリンタの斜視図である。
【図１１】変形例に係るプリンタの斜視図である。
【図１２】実施形態２に係るプリンタの斜視図である。
【図１３】実施形態２に係るプリンタの部分拡大断面図である。
【図１４】実施形態３に係るプリンタの斜視図である。
【図１５】実施形態３に係るプリンタの内部構造図である。
【図１６】実施形態３に係るプリンタの部分拡大断面図である。
【図１７】実施形態４に係るプリンタの斜視図である。
【図１８】実施形態４に係るプリンタの内部構造図である。
【図１９】実施形態５に係るプリンタの斜視図である。
【図２０】実施形態５に係るプリンタの部分拡大断面図である。
【図２１】変形例に係るプリンタの部分拡大断面図である。
【符号の説明】
【００６６】
１      プリンタ（記録装置）
１０    ケーシング
５０    記録紙
１０１  記録ヘッド
１０３  プラテン
１１１  排紙ローラ（排出機構）
１１３  搬送ローラ
１１８  ピックアップユニット
２００  給紙カセット（供給カセット）
３００  排紙トレイ（支持部材）
３０１  傾斜板（突出部材，平板部材）
３０３  コイルばね（ばね部材）
３２０  切り欠き
３２２  収容空間
３５０  排紙トレイ（棒状部材）
３６１  第１トレイ（トレイ部材）
【図１】
2005205648.tif 000003
【図２】
2005205648.tif 000004
【図３】
2005205648.tif 000005
【図４】
2005205648.tif 000006
【図５】
2005205648.tif 000007
【図６】
2005205648.tif 000008
【図７】
2005205648.tif 000009
【図８】
2005205648.tif 000010
【図９】
2005205648.tif 000011
【図１０】
2005205648.tif 000012
【図１１】
2005205648.tif 000013
【図１２】
2005205648.tif 000014
【図１３】
2005205648.tif 000015
【図１４】
2005205648.tif 000016
【図１５】
2005205648.tif 000017
【図１６】
2005205648.tif 000018
【図１７】
2005205648.tif 000019
【図１８】
2005205648.tif 000020
【図１９】
2005205648.tif 000021
【図２０】
2005205648.tif 000022
【図２１】
2005205648.tif 000023